(57)【要約】【課題】表示部に表示されるカーソルをアイコンに動かすためのタッチ入力を容易にする技術を提供する。【解決手段】表示制御装置１０において、受付部２４は、表示部２２から離れた位置にあるタッチ入力部２０に入力された操作情報を受け付ける。処理部２６は、受付部２４が受け付けた操作情報に応じて表示部２２の表示を制御する。処理部２６は、周状に配置した複数のアイコンの内側にカーソルを配置した画像を表示部２２に表示させ、受付部２４が受け付けたスライド操作の方向に位置するアイコンにカーソルを動かす。【選択図】図２
2019070990.tif 000002
【特許請求の範囲】
【請求項１】
表示部から離れた位置にあるタッチ入力部に入力された操作情報を受け付ける受付部と、
前記受付部が受け付けた操作情報に応じて前記表示部の表示を制御する処理部と、を備え、
前記処理部は、周状に配置した複数のアイコンの内側にカーソルを配置した画像を前記表示部に表示させ、前記受付部が受け付けたスライド操作の方向に位置するアイコンにカーソルを動かすことを特徴とする表示制御装置。
【請求項２】
前記処理部は、カーソルがアイコンに重なった状態において、前記受付部が複数のアイコンにより形成される円の接線方向のスライド操作を受け付けた場合に、カーソルが重なっているアイコンから隣のアイコンにカーソルを動かすことを特徴とする請求項１に記載の表示制御装置。
【請求項３】
前記処理部は、カーソルがアイコンに重なった状態において、前記受付部が複数のアイコンにより形成される円の中心に向かうスライド操作を受け付けた場合に、カーソルを複数のアイコンの内側に動かすことを特徴とする請求項１または２に記載の表示制御装置。
【発明の詳細な説明】
【技術分野】
【０００１】
本発明は、タッチ入力部に入力された操作情報にもとづいて表示部の画像表示を制御する表示制御装置に関する。
【背景技術】
【０００２】
特許文献１には、テレビなどの表示部の表示に対応した情報を入力する携帯端末装置が開示されている。この携帯端末装置は、タッチ入力を検出する面に複数のキーを放射状に区分して設定している。
【先行技術文献】
【特許文献】
【０００３】
【特許文献１】特開２０１０−２８７００７号公報
【発明の概要】
【発明が解決しようとする課題】
【０００４】
表示部と携帯端末装置が離れた位置にある場合において、タッチ入力する面に複数のキーを設定すると、ユーザはキーの位置を見てタッチするため、タッチ入力する面と表示部との間で視線を往復させることになり、視線の移動が煩瑣である。
【０００５】
本発明はこうした状況に鑑みてなされたものであり、その目的は、表示部に表示されるカーソルをアイコンに動かすためのタッチ入力を容易にするためのカーソルとアイコンを配置する技術を提供することにある。
【課題を解決するための手段】
【０００６】
上記課題を解決するために、本発明のある態様の表示制御装置は、表示部から離れた位置にあるタッチ入力部に入力された操作情報を受け付ける受付部と、受付部が受け付けた操作情報に応じて表示部の表示を制御する処理部と、を備える。処理部は、周状に配置した複数のアイコンの内側にカーソルを配置した画像を表示部に表示させ、受付部が受け付けたスライド操作の方向に位置するアイコンにカーソルを動かす。
【０００７】
この態様によると、複数のアイコンを選択する際に、複数のアイコンを周状に並べて、カーソルの初期位置をアイコンの内側に配置することで、カーソルをいずれのアイコンにも１方向のスライド操作で容易に移動させることができる。
【０００８】
処理部は、カーソルがアイコンに重なった状態において、受付部が複数のアイコンにより形成される円の接線方向のスライド操作を受け付けた場合に、カーソルが重なっているアイコンから隣のアイコンにカーソルを動かしてよい。これにより、ユーザがカーソルをアイコンから隣のアイコンに容易に移動させることができる。
【０００９】
処理部は、カーソルがアイコンに重なった状態において、受付部が複数のアイコンにより形成される円の中心に向かうスライド操作を受け付けた場合に、カーソルを複数のアイコンの内側に動かしてよい。これにより、ユーザがカーソルの中心位置に容易に移動させることができる。
【発明の効果】
【００１０】
本発明によれば、表示部に表示されるカーソルをアイコンに動かすためのタッチ入力を容易にするためのカーソルとアイコンを配置する技術を提供できる。
【図面の簡単な説明】
【００１１】
【図１】車両に設けられるタッチ入力部および表示部について説明するための図である。
【図２】表示制御装置の機能構成について説明するための図である。
【図３】初期状態のメニュー画像を表示する表示部を示す図である。
【図４】ユーザが操作した際のメニュー画像の表示について説明するための図である。
【図５】カーソル配置部におけるカーソルの配置処理について説明するための図である。
【発明を実施するための形態】
【００１２】
図１は、車両に設けられるタッチ入力部２０および表示部２２について説明するための図である。タッチ入力部２０は、運転席と助手席の間のセンターコンソールに設けられ、ユーザのタッチ操作が入力されるタッチパッド型の入力装置である。タッチ入力部２０は、タッチ操作による入力信号を不図示の表示制御装置に出力し、表示制御装置の制御によって表示部２２に画像が表示される。
【００１３】
表示部２２は、タッチ入力部２０から離れた位置にあるダッシュボードに設けられ、画像を表示する。表示部２２とタッチ入力部２０の異なる高さに配置され、表示部２２は車両前方側でタッチ入力部２０より高い位置に設けられる。ユーザは、センターコンソールに手首を置き、表示部２２を見ながら、タッチ入力部２０を見ずにタッチ入力部２０にタッチ操作、例えばスライド操作やタップ操作を入力して、車載機能を選択する。なお、タッチ入力部２０には、メニュー画像を呼び出すメニューボタンや前の画像に戻るバックボタンなどの機械式スイッチが設けられてよい。
【００１４】
図２は、表示制御装置１０の機能構成について説明するための図である。図２において、さまざまな処理を行う機能ブロックとして記載される各要素は、ハードウェア的には、回路ブロック、メモリ、その他のＬＳＩで構成することができ、ソフトウェア的には、メモリにロードされたプログラムなどによって実現される。したがって、これらの機能ブロックがハードウェアのみ、ソフトウェアのみ、またはそれらの組合せによっていろいろな形で実現できることは当業者には理解されるところであり、いずれかに限定されるものではない。
【００１５】
表示制御装置１０は、受付部２４および処理部２６を備える。受付部２４は、タッチ入力部２０に入力された操作情報を受け付ける。処理部２６は、受付部２４が受け付けた操作情報に応じて表示部２２の表示を制御する。タッチ入力部２０から出力される操作情報は、タッチの操作の入力位置を示す座標情報と、機械式スイッチの入力情報とを含む。タッチ入力部２０の入力位置は、例えば入力始点をゼロ点として車両前後方向が上下方向、車幅方向が左右方向の座標情報に変換される。
【００１６】
処理部２６は、操作検出部２８、カーソル配置部３０、画像生成部３２および決定部３４を有する。操作検出部２８は、操作情報により示される入力始点（タッチイン）および入力終点（タッチアウト）の軌跡から、操作の種類を判定し、スライド操作である場合にはスライド方向およびスライド距離を検出する。操作の種類には、例えばスライド操作、タップ操作、ピンチ操作、長押し操作などがある。
【００１７】
カーソル配置部３０は、タッチ入力部２０への入力にもとづいて表示部２２に表示させるカーソルの配置を決定する。すなわち、カーソル配置部３０は、操作検出部２８の検出結果にもとづいて表示部２２上のカーソルの位置座標を決定する。カーソル配置部３０は、タッチ入力部２０へのスライド操作に応じて、カーソルを表示部２２の画面上で動くように配置させる。カーソル配置部３０は、タッチ入力部２０のスライド操作量を所定の縦横比で表示部２２でのカーソルの移動量に変換してよい。変換のための所定の縦横比は、タッチ入力部２０と表示部２２の大きさの比率にもとづいて設定されてよい。
【００１８】
決定部３４は、タッチ入力部２０への入力にもとづいて、すなわち操作検出部２８の検出結果にもとづいてアイコンの機能が選択されたことを決定する。決定部３４は、たとえばカーソルがアイコンに重なった状態でタップ操作がなされた場合に、そのアイコンに設定された車載機能の実行を決定し、画像生成部３２が決定された車載機能の画像を生成する。
【００１９】
画像生成部３２は、タッチ入力部２０への入力に応じて、すなわち操作検出部２８の検出結果、カーソル配置部３０の配置結果および決定部３４の決定結果にもとづいて表示部２２に表示させる画像を生成する。画像生成部３２は、車載機能を示す複数のアイコンからなるメニュー画像や車載機能を実行している画像を不図示のメモリから取り出し、取り出した画像にカーソルを重ねて画像を生成する。車載機能を示すアイコンは、ナビゲーション、電話、音楽再生、ラジオ、室温設定などの車載機能に対応した画像で表示される。
【００２０】
画像生成部３２は、例えばメニューボタンが押された場合に、周状に配置した複数のアイコンの内側にカーソルを配置したメニュー画像を表示部２２に表示させ、メニュー画像を表示した状態でタッチ入力部２０にスライド操作がなされると、タッチ入力部２０へのスライド操作の方向に位置するアイコンにカーソルを動かし、カーソルをアイコンに重ねて表示させる。複数のアイコンを周状に並べて、カーソルの初期位置をアイコンの中心に配置することで、カーソルをアイコンに移動させる距離を一定にでき、ユーザが１方向のスライド入力で所望のアイコンにカーソルを移動させることができる。なお、メニュー画像は、車載機能を選択するための表示であり、メニューボタンが押されて表示される場合に限られず、起動時や、タッチ入力部２０への長押し操作によって表示されてよい。
【００２１】
画像生成部３２は、カーソルがメニュー画像のアイコンに重なった状態において、受付部２４が複数のアイコンにより形成される円の接線方向のスライド操作を受け付けた場合に、カーソルが重なっているアイコンから隣のアイコンにカーソルを動かすように表示させる。これにより、ユーザがカーソルをアイコンから隣のアイコンに容易に移動させることができ、カーソルが隣のアイコンを越えて動くことを抑えることができる。
【００２２】
画像生成部３２は、カーソルがアイコンに重なった状態において、受付部２４が複数のアイコンにより形成される円の中心に向かうスライド操作を受け付けた場合に、カーソルを複数のアイコンの内側に動かすように表示させる。これにより、ユーザがカーソルを初期位置に容易に移動させることができる。
【００２３】
図３は、初期状態のメニュー画像を表示する表示部２２を示す。初期状態のメニュー画像では、第１アイコン４２ａ、第２アイコン４２ｂ、第３アイコン４２ｃ、第４アイコン４２ｄ、第５アイコン４２ｅ、第６アイコン４２ｆ、第７アイコン４２ｇ、第８アイコン４２ｈ（これらを区別しない場合、単に「アイコン４２」という）が周状に配置され、それらのアイコン４２の内側の中心にカーソル４０が配置される。メニュー画像の初期状態は、例えば、メニューボタンが押されたとき、表示部２２および表示制御装置１０が起動されたときに表示されてよい。このカーソル配置により、ユーザがタッチ入力部２０においてどの方向のスライド操作を行っても複数のアイコン４２の１つにカーソルが移動するように構成できる。
【００２４】
カーソル４０の周りには放射状の第１ガイド線４４が表示される。第１ガイド線４４は、中心位置にあるカーソル４０からアイコン４２のそれぞれに向かって延びており、ユーザにアイコン４２の方向をガイドする。カーソル４０は、メニュー画像の背景画像より暗い又は明るい輝度で表示される。
【００２５】
図４は、ユーザが操作した際のメニュー画像の表示について説明するための図である。図３に示すメニュー画像を表示した状態から、ユーザがタッチ入力部２０で車両前方へのスライド操作をしたことで、図４（ａ）では上方に位置する第１アイコン４２ａにカーソルが移動して、第１アイコン４２ａに重なって表示される。画像生成部３２は、初期状態のメニュー画像を表示した状態でタッチ入力部２０にスライド操作がなされると、タッチ入力部２０へのスライド操作の方向に位置するアイコンにカーソルを動かし、カーソルをアイコンに重ねて表示させる。これにより、操作検出部２８によりユーザのスライド操作が検出されれば、画像生成部３２はいずれかのアイコン４２にカーソルを動かすため、ユーザによるカーソルをアイコンに移動させる操作を容易にできる。
【００２６】
画像生成部３２は、カーソルがアイコンに重なっていることを示すように、アイコンの少なくとも一部の画素値を変化させる。図４（ａ）に示すカーソル４０が重なった状態の第１アイコン４２ａは、図３に示す通常状態の第１アイコン４２ａと比べて、輝度を暗く又は明るくなるように変化させ、カーソルがアイコンに重なっていることを示す。
【００２７】
カーソル４０が第１アイコン４２ａに重なった状態で、ユーザがタッチ入力部２０へタップ操作をすると、決定部３４が第１アイコン４２ａに対応する機能の選択を決定し、画像生成部３２が第１アイコン４２ａに対応する機能の画像を生成して表示部２２に表示させる。
【００２８】
画像生成部３２は、カーソル４０がアイコン４２と重なっている場合、周状に配置された複数のアイコン４２をつなぐ円弧状の第２ガイド線４６を表示させる。第２ガイド線４６は、隣り合うアイコン４２をつなぐように表示されるため、ユーザに隣りのアイコン４２の接線方向を示唆することができる。
【００２９】
図４（ａ）に示すカーソル４０が第１アイコン４２ａに重なっている状態から、ユーザがタッチ入力部２０へ右方向のスライド操作をした場合、すなわち受付部２４が複数のアイコン４２により形成される円の接線方向のスライド操作を受け付けた場合に、図４（ｂ）に示すように画像生成部３２はカーソル４０が重なる第１アイコン４２ａから隣の第２アイコン４２ｂにカーソル４０を動かす。これにより、ユーザは接線方向のスライド操作で容易にカーソル４０を隣のアイコン４２に移動させることができる。
【００３０】
図５は、カーソル配置部３０におけるカーソル４０の配置処理について説明するための図である。カーソル４０が中心位置にある状態で、図５（ａ）に示す第１鎖線４８ａおよび第２鎖線４８ｂの間の４５度の角度範囲に収まる方向、タッチ入力部２０へのスライド操作が検出された場合、画像生成部３２はカーソル４０を第１アイコン４２ａへ動かす。第１鎖線４８ａおよび第２鎖線４８ｂは、カーソル４０の中心位置から放射状に延び、第１鎖線４８ａは第１アイコン４２ａおよび第８アイコン４２ｈの中間位置を通り、第２鎖線４８ｂは第１アイコン４２ａおよび第２アイコン４２ｂの中間位置を通る。
【００３１】
カーソル４０が中心位置にある状態で、第２鎖線４８ｂおよび第３鎖線４８ｃの間に収まる方向にタッチ入力部２０へのスライド操作が検出された場合、画像生成部３２はカーソル４０を第２アイコン４２ｂへ動かす。カーソル４０が中心位置にある状態で、第１鎖線４８ａおよび第４鎖線４８ｄの間に収まる方向にタッチ入力部２０へのスライド操作が検出された場合、画像生成部３２はカーソル４０を第８アイコン４２ｈへ動かす。
【００３２】
中心位置にあるカーソル４０と第１アイコン４２ａとの距離Ｄの少なくとも半分以上の距離をカーソル４０が動くように、タッチ入力部２０にてスライド操作がされた場合に、画像生成部３２はカーソル４０をアイコン４２に重ねて表示させる。つまり、スライド操作によってカーソル４０が通常動く距離が距離Ｄに満たなくても、アイコン４２に向かうスライド操作が検出された場合には、カーソル４０がアイコン４２まで動かされる。これにより、ユーザは少ない操作量でカーソル４０をアイコン４２まで動かすことができる。
【００３３】
なお、中心位置にあるカーソル４０とアイコン４２の距離Ｄの１／３以上の距離をカーソル４０が動くように、タッチ入力部２０にてスライド操作がされた場合に、画像生成部３２は、カーソル４０をアイコン４２に重ねて表示させてよい。また、ユーザがカーソル４０が距離Ｄ以上に動くようにスライド操作をしても、カーソル４０がアイコン４２を越えて複数のアイコン４２の外側に移動せず、アイコン４２に重なった状態に留められてよい。
【００３４】
図５（ｂ）に示すように、カーソル４０がアイコン４２に重なっている状態において、受付部２４が円の接線方向５０のスライド操作を受け付けた場合に、カーソル４０が第２アイコン４２ｂに動かされる。第２アイコン４２ｂに向かうこの接線方向５０は、タッチ入力部２０で右方向に９０度の角度範囲を持つ。このように、ユーザは、スライド方向が円の接線方向５０からずれても設定した角度範囲に収まれば、カーソル４０を隣のアイコン４２に動かすことができる。
【００３５】
カーソル４０が第１アイコン４２ａに重なった状態において、受付部２４が複数のアイコン４２により形成される円の中心Ｃに向かうスライド操作を受け付けた場合に、カーソル４０が複数のアイコンの内側の中心Ｃに動かされる。円の中心Ｃに向かうスライド操作は、タッチ入力部２０の下方向に９０度の角度範囲を持つ。このように、ユーザは、スライド方向が円の中心に向かう方向からずれても設定した角度範囲に収まれば、カーソル４０を円の中心Ｃ、すなわちカーソル４０の初期位置に動かすことができる。カーソル４０の初期位置からは、１方向のスライド操作でいずれのアイコン４２へもカーソル４０が動く。
【００３６】
なお実施例はあくまでも例示であり、各構成要素の組合せにいろいろな変形例が可能なこと、またそうした変形例も本発明の範囲にあることは当業者に理解されるところである。
【００３７】
例えば、運転者がセンターコンソールに手首を置いてタッチ入力部２０にスライド操作する場合、手首を動かす車幅方向への操作が入力しづらくなり、手首を動かさずに指の動きだけで入力できる車両前後方向への操作が入力しやすい。そこで、アイコン４２の配置に関して、入力しやすい上下方向に使用頻度の高い機能のアイコン４２を配置、入力しづらい左右方向に使用頻度の低い機能のアイコン４２を配置してよい。
また、タッチ入力部２０のスライド操作量を表示部２２でのカーソル４０の移動量に変換する際に、上下方向と左右方向とで変換レートを変えてよく、タッチ入力部２０でのスライド操作量に対して表示部２２ではカーソル４０が上下方向より左右方向に大きく動くように設定してよい。
【符号の説明】
【００３８】
１０  表示制御装置、  ２０  タッチ入力部、  ２２  表示部、  ２４  受付部、  ２６  処理部、  ２８  操作検出部、  ３０  カーソル配置部、  ３２  画像生成部、  ３４  決定部。
【図１】
2019070990.tif 000003
【図２】
2019070990.tif 000004
【図３】
2019070990.tif 000005
【図４】
2019070990.tif 000006
【図５】
2019070990.tif 000007